(57)【要約】【課題】  商品の分割払い割引システム及びその方法の提供。【解決手段】  少なくとも一つの第１商品と少なくとも一つの第２商品を提供し、第１消費端が第１商品を購入後、第２消費端が該第２商品を購入する時、計数値を累加し、該第２商品の増加した購入人数を記録し、その後、処理ユニットが該計数値により、割引価格を計算し、第１消費端の分割請求金額を割引し、これにより、第２消費端に販売した商品の販売価格の利益の一部を既に購入行為を行った第１消費端に転嫁し、更に多くの消費者の商品購入意欲を促進する。【選択図】        図２
2006209731.tif 000002
【特許請求の範囲】
【請求項１】
商品の分割払い割引方法において、
少なくとも一つの第１商品を提供して少なくとも一つの第１消費端の購入に供するステップ、
少なくとも一つの第２消費端が少なくとも一つの第２商品を購入する時、計数値を累加するステップ、
該計数値により割引価格を計算するステップ、
該割引価格により、第１消費端の分割払い金額を割り引くステップ、
を少なくとも包含したことを特徴とする、商品の分割払い割引方法。
【請求項２】
請求項１記載の商品の分割払い割引方法において、ホームページを使用して第１商品と第２商品の情報を提供することを特徴とする、商品の分割払い割引方法。
【請求項３】
請求項１記載の商品の分割払い割引方法において、
分割払い金額＝（第１商品の商品価格＋第１商品の利息総和）／分割払い回数
であることを特徴とする、商品の分割払い割引方法。
【請求項４】
請求項１記載の商品の分割払い割引方法において、
分割払い金額＝（第１商品未納金額／余剰分割払い回数）＋利息費用
であり、該利息費用は分割払い金額の返済により低減することを特徴とする、商品の分割払い割引方法。
【請求項５】
請求項１記載の商品の分割払い割引方法において、
分割払い金額＝（第１商品の商品価格／分割払い回数）＋利息費用
であり、該該利息費用は分割払い金額の返済により低減することを特徴とする、商品の分割払い割引方法。
【請求項６】
請求項１記載の商品の分割払い割引方法において、
分割払い金額＝第１商品の利息総和／分割払い回数
であることを特徴とする、商品の分割払い割引方法。
【請求項７】
請求項１記載の商品の分割払い割引方法において、
分割払い金額＝第１商品の商品価格／分割払い回数
であることを特徴とする、商品の分割払い割引方法。
【請求項８】
商品の分割払い割引システムにおいて、
少なくとも一つの第１商品、
少なくとも一つの第２商品、
少なくとも一つの第１消費端、
少なくとも一つの第２消費端、
計数値、
処理ユニット、
を包含し、そのうち、第１消費端が第１商品を購入後、第２消費端が第２商品を購入する時、該計数値は第２商品の増加した購入人数を記録して処理ユニットが該計数値により割引価格を計算するのに供し、これにより第１消費端の分割払い金額を割り引くことを特徴とする、商品の分割払い割引システム。
【請求項９】
請求項８記載の商品の分割払い割引システムにおいて、第１商品と第２商品を提供する取引サーバーを更に包含したことを特徴とする、商品の分割払い割引システム。
【請求項１０】
請求項８記載の商品の分割払い割引システムにおいて、第２消費端に第１消費端が集結可能であることを特徴とする、商品の分割払い割引システム。
【請求項１１】
請求項８記載の商品の分割払い割引システムにおいて、第１商品が第２商品と同じであることを特徴とする、商品の分割払い割引システム。
【請求項１２】
請求項８記載の商品の分割払い割引システムにおいて、第１商品と第２商品が異なる企業より提出されることを特徴とする、商品の分割払い割引システム。
【請求項１３】
請求項８記載の商品の分割払い割引システムにおいて、処理ユニットが分割払い金額に基づき、単利方式或いは複利方式で割引価格の計算を行うことを特徴とする、商品の分割払い割引システム。
【請求項１４】
請求項８記載の商品の分割払い割引システムにおいて、処理ユニットが商品価格に基づき、単利方式或いは複利方式で割引価格の計算を行うことを特徴とする、商品の分割払い割引システム。
【発明の詳細な説明】
【技術分野】
【０００１】
本発明は、一種の商品の分割払い割引システム及びその方法に係り、特に、計数値を提供して商品の増加した購入人数を記録し、計数値に対応する割引価格を計算し、消費端の分割請求金額を割引し、分割払い期間に割引優待を消費端に提供する目的を達成するシステム及び方法に関する。
【背景技術】
【０００２】
商業活動の発展以来、伝統的な商品ショッピング行為でよく見られるのは、「推す」（ｐｕｓｈ）の販売方式であり、所謂「推す」販売方式は、企業が生産する商品を消費者に売る（推す）販売方式で、企業が比較的多くの自主権を有し、このため商品価格の制定上、多くは企業がメインとなり消費者はただ企業の制定を受け入れるのみであり、更に多くの割引を享受できない。
【０００３】
しかし、ネットワーク技術の進歩と電子商取引の勃興発展にり、数千年来の伝統的な取引方式が改変され、大幅に市場取引コストがダウンされ、更に消費者意識の台頭と市場の競争の激化により、企業が消費者の要求に符合する商品の生産を開始し、即ち消費者が比較的多くの自主権を掌握するようになり、更に多くの消費者のショッピング意欲をかき立てるべく、企業は更に多くの割引特典方法を工夫するようになった。
【０００４】
図１は特許文献１に記載の周知のネットワークショッピングシステムの表示図である。図示されるように、それはネットワーク割引メカニズム１’を提供し、該ネットワーク割引メカニズム１’は、使用者がショッピングする時の商品割引特典の機能を提供し、該ネットワーク割引メカニズム１’は、少なくとも一人の消費者の身分を確認し、並びに消費者が登録する個人データを記録し、個人台帳番号を生成する認証ユニット１１’、広告データベース１５’より提供されるホームページ広告１０’の閲覧時間を記録し、個人台帳番号に基づき該ホームページ広告１０’の閲覧の計時を行い、並びに閲覧の有効性を判別し、時間信号を生成する、時間コントロールユニット１２’、該ホームページ広告１０’の閲覧回数を累計し、有効な該時間信号を通して、回数信号を生成する、閲覧回数保存ユニット１３’、該ホームページ広告１０’の広告商品の注文に用いられ、商品の価格を注文価格×（１−広告閲覧の回数×百分比単位）となし、これによりこの割引特典を利用して消費者のショッピング意欲をかき立てる、注文ユニット１４’、を包含する。
【０００５】
周知のネットワーク割引ショッピングシステムは消費者が商品購入時に割引特典を消費端に提供するが、分割払いを支払い方式とする消費者に対しては、分割払いの商品は消費端が一回で商品金額を納付不能であるリスクが存在し、更に企業が商品代金を受け取るまでの時間が長いことから、分割払いの商品の価格は一般商品は販売価格より高く、このため分割払いの商品の価格は周知のネットワーク割引ショッピングシステムで割引された後、一般商品の価格より高くなり、分割払いを欲する消費端に対して、その購入意欲を削ぐ結果となる。このため、如何に消費端に分割払いの期間に更に多くの割引特典を得させ、これにより更に多くの消費者の購入意欲をかき立てられるようにするかが、現在、企業が考慮する重点となっている。
【０００６】
このため上述の問題に対して、商品の分割払い割引システム及びその方法を提供し、伝統的な、分割払い期間に更に多くの割引特典を消費端に提供できない欠点を改善すると共に、更に多くの消費端の購入意欲をかき立てられるようにすることが望まれる。
【０００７】
【特許文献１】台湾特許第５３５０７９号明細書
【発明の開示】
【発明が解決しようとする課題】
【０００８】
本発明の主要な目的は、一種の商品の分割払い割引システム及びその方法を提供することにあり、それは、第１消費端が第１商品を購入後に、第２消費端が第２商品を購入する時、計数値により該第２商品の増加した購入人数を記録し、並びに計数値に対応する割引価格を計算し、分割払い期間に第１消費端の分割払い金額を割引、これにより消費端の商品購入意欲をかき立てる。
【０００９】
本発明の次の目的は、一種の商品の分割払い割引システム及びその方法を提供することにあり、それは、取引サーバーを提供して、同じ企業或いは異なる企業より提供される少なくとも一つの第１商品と少なくとも一つの第２商品を受け取り、これにより第１消費端と第２消費端が異なる企業の商品を購入する時、第１消費端が第２消費端が商品購入することにより対応する割引価格を獲得できるものとする。
【００１０】
上述の目的と長所を達成するため、本発明の商品の分割払い割引システム及びその方法は、取引サーバーを記載し、それは、ホームページを使用し、少なくとも一つの第１商品と少なくとも一つの第２商品の情報を提供し、並びに第１商品の取引動作を実行し、その後、少なくとも一つの第２消費端が第２商品を購入する時、更に計数値により第２商品の増加した購入人数を記録し、処理ユニットを通して該計数値により割引価格を計算した後、割引価格により第１消費端の分割払い金額を割引し、これにより、分割払いの支払い方式を利用する第１消費端が、分割払い期間中に更に多くの割引特典を獲得できるようにし、これにより更に多くの消費端の商品購入意欲をかき立てられるようにしている。
【００１１】
周知の技術によると、企業の多くは商品販売期間に割引特典を消費端に提供するだけであるが、本発明は周知の技術とは異なり、商品の分割払い期間中に割引特典を消費端に提供して商品端の分割払い金額を低減し、これにより消費端の購入意欲を増し、消費端の商品購入を促進する。
【課題を解決するための手段】
【００１２】
請求項１の発明は、商品の分割払い割引方法において、
少なくとも一つの第１商品を提供して少なくとも一つの第１消費端の購入に供するステップ、
少なくとも一つの第２消費端が少なくとも一つの第２商品を購入する時、計数値を累加するステップ、
該計数値により割引価格を計算するステップ、
該割引価格により、第１消費端の分割払い金額を割り引くステップ、
を少なくとも包含したことを特徴とする、商品の分割払い割引方法としている。
請求項２の発明は、請求項１記載の商品の分割払い割引方法において、ホームページを使用して第１商品と第２商品の情報を提供することを特徴とする、商品の分割払い割引方法としている。
請求項３の発明は、請求項１記載の商品の分割払い割引方法において、
分割払い金額＝（第１商品の商品価格＋第１商品の利息総和）／分割払い回数
であることを特徴とする、商品の分割払い割引方法としている。
請求項４の発明は、請求項１記載の商品の分割払い割引方法において、
分割払い金額＝（第１商品未納金額／余剰分割払い回数）＋利息費用
であり、該利息費用は分割払い金額の返済により低減することを特徴とする、商品の分割払い割引方法としている。
請求項５の発明は、請求項１記載の商品の分割払い割引方法において、
分割払い金額＝（第１商品の商品価格／分割払い回数）＋利息費用
であり、該該利息費用は分割払い金額の返済により低減することを特徴とする、商品の分割払い割引方法としている。
請求項６の発明は、請求項１記載の商品の分割払い割引方法において、
分割払い金額＝第１商品の利息総和／分割払い回数
であることを特徴とする、商品の分割払い割引方法としている。
請求項７の発明は、請求項１記載の商品の分割払い割引方法において、
分割払い金額＝第１商品の商品価格／分割払い回数
であることを特徴とする、商品の分割払い割引方法としている。
請求項８の発明は、商品の分割払い割引システムにおいて、
少なくとも一つの第１商品、
少なくとも一つの第２商品、
少なくとも一つの第１消費端、
少なくとも一つの第２消費端、
計数値、
処理ユニット、
を包含し、そのうち、第１消費端が第１商品を購入後、第２消費端が第２商品を購入する時、該計数値は第２商品の増加した購入人数を記録して処理ユニットが該計数値により割引価格を計算するのに供し、これにより第１消費端の分割払い金額を割り引くことを特徴とする、商品の分割払い割引システムとしている。
請求項９の発明は、請求項８記載の商品の分割払い割引システムにおいて、第１商品と第２商品を提供する取引サーバーを更に包含したことを特徴とする、商品の分割払い割引システムとしている。
請求項１０の発明は、請求項８記載の商品の分割払い割引システムにおいて、第２消費端に第１消費端が集結可能であることを特徴とする、商品の分割払い割引システムとしている。
請求項１１の発明は、請求項８記載の商品の分割払い割引システムにおいて、第１商品が第２商品と同じであることを特徴とする、商品の分割払い割引システムとしている。
請求項１２の発明は、請求項８記載の商品の分割払い割引システムにおいて、第１商品と第２商品が異なる企業より提出されることを特徴とする、商品の分割払い割引システムとしている。
請求項１３の発明は、請求項８記載の商品の分割払い割引システムにおいて、処理ユニットが分割払い金額に基づき、単利方式或いは複利方式で割引価格の計算を行うことを特徴とする、商品の分割払い割引システムとしている。
請求項１４の発明は、請求項８記載の商品の分割払い割引システムにおいて、処理ユニットが商品価格に基づき、単利方式或いは複利方式で割引価格の計算を行うことを特徴とする、商品の分割払い割引システムとしている。
【発明の効果】
【００１３】
本発明は商品の分割払い割引システム及びその方法を提供し、それは取引サーバー、計数値、及び処理ユニットの組合せにより、第２消費端が取引サーバーを通して第２商品を購入する時、該計数値を利用して第２商品の購入人数を記録し、処理ユニットが該計数値により対応する割引価格を計算した後、第１消費端の分割払い金額を割引し、これにより商品の分割払い期間に割引特典を消費端に提供できる。
本発明は新規性、進歩性、及び産業上の利用価値を有する。
【発明を実施するための最良の形態】
【００１４】
図２は本発明の好ましい実施例のフローチャートである。この実施例中では、分割払い方式による少なくとも一つの第１商品と少なくとも一つの第２商品の支払い方法を例としている。本発明の方法は以下のステップを包含する。
【００１５】
ステップＳ１０に示されるように、まず、少なくとも一つの第１商品と少なくとも一つの第２商品を提供し、少なくとも一つの第１消費端がホームページの提供する第１商品を購入するのに供する。その後、ステップＳ１２において、少なくとも一つの第２消費端が第２商品を購入する時、計数値を累加し、第２商品の増加した購入人数を記録する。続いて、ステップＳ１４において、計数値に百分比単位を乗じて割引率に換算し、これにより第１商品の商品価格或いは第１消費端の支払い金額に対して割引価格を計算する。最後に、ステップＳ１６において、該割引価格により第１消費端の分割払い金額を割引し、これにより第１消費端の毎期の支払い金額を動態調整する。
【００１６】
本発明は日割り、月割り、及び年割り等の方式を割引価格の決算時間とし、決算時間終了時には、ステップＳ１４の計数値により、対応する割引価格を計算する。このほか、分割払い金額は、公式（１）から公式（５）の計算方式を採用し、そのうち、公式（１）は第１消費端が毎期に均等払いする第１商品の本金と利息を指す。公式（２）は、第１消費端が先に一部本金を返済後に、毎期に均等払いする第１商品の本金と別に再計算された利息費用を指す。公式（３）は、第１消費端が毎期に均等編纂しる第１商品の本金に利息費用を加えたものを指し、そのうち、該利息費用は分割払い金額の返済に伴い低減する。公式（４）は第１消費端が均等払いする第１商品の利息費用を指し、第１商品の本金はある時間或いは返済期間が来た後に、更に返済される。公式（５）は、第１消費端が毎期に均等払いする第１商品の本金を指す。
【００１７】
分割払い金額＝（第１商品の商品価格＋第１商品の利息総和）／分割払い回数（１）
【００１８】
分割払い金額＝（第１商品未納金額／余剰分割払い回数）＋利息費用        （２）
【００１９】
分割払い金額＝（第１商品の商品価格／分割払い回数）＋利息費用          （３）
【００２０】
分割払い金額＝第１商品の利息総和／分割払い回数                        （４）
【００２１】
分割払い金額＝第１商品の商品価格／分割払い回数                        （５）
【００２２】
図３は本発明の好ましい実施例の表示図である。図示されるように、本発明は少なくとも一つの第１商品１４、少なくとも一つの第２商品１６、少なくとも一つの第１消費端１０、少なくとも一つの第２消費端１２、計数値１８、及び処理ユニット２０を包含する。そのうち、第１消費端１０が第１商品１４を購入後、第２消費端１２が第２商品１６を購入する時、該計数値１８は第２商品１６の増加した購入人数を記録し、処理ユニット２０が該計数値１８により割引価格２２を計算するのに供し、これにより第１消費端１０の分割払い金額１４０に対する割引を行う。本発明は第１消費端１０が、第２消費端１２の取引により獲得する割引価格２２を動態計算し、更に多くの恩恵を第１消費端１０に提供し、これにより更に多くの消費端の商品購入意欲をかき立てることができる。
【００２３】
このほか、本発明の処理ユニット２０は、第１商品１４の分割払い金額１４０或いは第１商品１４の商品価格１４２に対して、単利方式或いは複利方式で割引価格２２の計算を行い、例えば割引価格２２を、分割払い金額に対して単利計算して出す方式を例とすると、分割払い金額が１５００で割引率が１５％の時、割引価格２２は１５００×１５％で２２５となり、これにより割引価格が第１消費端１０の毎期支払い金額より割り引かれ、第１消費端１０の今期支払い金額は１２７５となり、これにより、商品分割払い期間における割引特典の消費端への提供の目的が達成される。
【００２４】
このほか割引価格２２が第１消費端１０の分割払い金額より大きくなる時、本発明は該割引価格２２と分割払い金額１４０の差額をデータベースに記録し、第１消費端１０が商品購入或いは次期の支払い金額を納付する時に、商品金額或いは次期支払い金額を割り引く。
【００２５】
図４と図５はこの実施例中の、第１消費端１０が少なくとも一つの第２消費端１２に集結する場合を例として説明する。第２消費端１２が商品購入する時、第１消費端１０は対応する割引価格を獲得できる。まず、ステップＳ２０において、少なくとも一つの第１商品１４と少なくとも一つの第２商品１６が提供され、その後、ステップＳ２２において、第１消費端１０が少なくとも一つの第２消費端１２に集結し、続いて、ステップＳ２４において、第１消費端１０が集結する第２消費端１２が第２商品１６を購入する時、計数値１８が累加され、これにより計数値１８を使用して第２商品１６の増加した購入人数を記録し、その後、処理ユニット２０がステップＳ２６とステップＳ２８を実行し、該計数値１８により、割引価格を計算し、第１消費端１０の分割払い金額を割り引き、これにより、第２商品１６の部分販売利益が第１消費端１０に移転され、第１消費端１０の分割払い金額１４０が減らされ、こうして第１消費端１０が第２消費端１２に続けて集結することで、更に多くの消費端に商品購入動作を行わせることができる。
【００２６】
図６は図３に示されるシステムと類似するが、異なる所は図６の実施例は更に第１企業端２４を包含することにある。該第１企業端２４は少なくとも一つの第１商品１４を提供し、第１消費端１０が該第１商品１４を購入後、第２消費端１２が第１消費端１０と同じ第１商品１４を購入する時、計数値１８は第２消費端１２が購入した第１商品１４の増加した購入人数を記録し、処理ユニット２０が計数値１８により割引価格２２を計算する。このほか図７の実施例では、第１企業端２４は第１商品１４と第２商品１６を提供し、第１消費端１０が第１商品１４を購入した後、第１企業端２４が該計数値１８と該処理ユニット２０の組合せにより、第２消費端１２の第２商品１６購入により第１消費端１０が獲得する割引価格２２を計算し、これにより第１消費端１０が第１企業端２４の提供する第１商品１４を購入する分割払い金額を割り引く。
【００２７】
図８と図９に示される実施例では、本発明のシステムは取引サーバー２６を包含し、それはステップＳ３０において、ホームページを使用して少なくとも一つの第１商品１４と少なくとも一つの第２商品１６の情報を提供し、第１消費端１０が該ホームページより第１商品１４の情報を得る時、該取引サーバー２６を通して第１商品１４の購入動作を行える。その後、計数値１８と処理ユニット２０がステップＳ３２からステップＳ３６の実行により、第１消費端１０の分割払い金額を割り引き、これにより、第１消費端１０と第２消費端１２がネットワーク技術を利用してオンラインで商品選択と購入を行うことができるものとされ、そのうち、ステップＳ３２からステップＳ３６は、図２に提示されたステップＳ１２からステップＳ１６と同じであるため、説明を省略する。
【００２８】
図１０と図１１に示される実施例では、本発明のシステムは取引サーバー２６を包含し、それは第１企業端２４の提供する少なくとも一つの第１商品１４を受け取り、第１消費端１０と第２消費端１２がネットワークを通して取引サーバー２６と相互にオンライン後、該取引サーバー２６を使用して第１商品１４を購入するのに供され、このほか、該取引サーバー２６は第１企業端２４が提供する異なる商品を受け取り、第１消費端１０と第２消費端１２が取引サーバー２６内で第１商品１４と第２商品１６を購入するのに供される。
【００２９】
図１２に示される実施例では、本発明は更に取引サーバー２６、第１企業端２４、第２企業端２８を包含し、該取引サーバー２６は第１企業端２４が提供する少なくとも一つの第１商品１４と、第２企業端２８が提供する少なくとも一つの第２商品１６を受け取る。そのうち、第２企業端２８が提供する第２商品１６は第１企業端２４が提供する第１商品１４と同じであり、第１消費端１０が第１企業端２４が提供する商品を購入後に、第２消費端１２が第２企業端２８が提供する商品を購入する時、該取引サーバー２６は計数値１８を利用して第２消費端１２が購入する第２商品１６の増加した購入人数を記録し、処理ユニット２０が対応する割引価格を計算し、これにより第１消費端１０と第２消費端１２が異なる企業の提供する商品を購入する時、第１消費端１０は依然として対応する割引価格を獲得できる。
【図面の簡単な説明】
【００３０】
【図１】周知のネットワークショッピングシステムの表示図である。
【図２】本発明の好ましい実施例のフローチャートである。
【図３】本発明の好ましい実施例の表示図である。
【図４】本発明の第１消費端が第２消費端の商品購入により対応する割引価格を獲得するフローチャートである。
【図５】本発明の第１消費端が第２消費端の商品購入により対応する割引価格を獲得する表示図である。
【図６】本発明の第１企業端が同じ商品を提供し消費端が購入する表示図である。
【図７】本発明の第１企業端が異なる商品を提供し消費端が購入する表示図である。
【図８】本発明の第１消費端と第２消費端が取引サーバーを使用し商品購入を行うフローチャートである。
【図９】本発明の第１消費端と第２消費端が取引サーバーを使用し商品購入を行う表示図である。
【図１０】本発明の第１企業端が同じ商品を取引サーバーに提供し消費端が購入する表示図である。
【図１１】本発明の第１企業端が異なる商品を取引サーバーに提供し消費端が購入する表示図である。
【図１２】本発明の第１企業端と第２企業端が商品提供し、消費端が購入する表示図である。
【符号の説明】
【００３１】
１’  ネットワーク割引メカニズム          １２  第２消費端
１０’  ホームページ広告                  １４  第１商品
１１’  認証ユニット                      １６  第２商品
１２’  時間コントロールユニット          １８  計数値
１３’  閲覧回数保存ユニット              ２０  処理ユニット
１４’  注文ユニット                      ２２  割引価格
１５’  データベース                      ２４  第１企業端
１０  第１消費端                          ２６  取引サーバー
２８  第２企業端
【図１】
2006209731.tif 000003
【図２】
2006209731.tif 000004
【図３】
2006209731.tif 000005
【図４】
2006209731.tif 000006
【図５】
2006209731.tif 000007
【図６】
2006209731.tif 000008
【図７】
2006209731.tif 000009
【図８】
2006209731.tif 000010
【図９】
2006209731.tif 000011
【図１０】
2006209731.tif 000012
【図１１】
2006209731.tif 000013
【図１２】
2006209731.tif 000014